(57)【要約】  シャワーヘッドを固定させて据え置くことが可能なシャワーヘッド用ホルダーを提供する。  本発明によれば、シャワー器の使用途中で使用者の所望する位置にシャワーヘッド用ホルダーを置き、場所を問わずにシャワーヘッドを据置させることができるとともに、乳幼児、高齢者、および身体の不自由な人を沐浴させるか或いはバス掃除や洗濯などを行いながら、シャワーを止めることが困るときに、シャワーヘッドが覆ることなくシャワーヘッドを容易に据置させることができるという効果がある。さらに、様々な形態のシャワー器、重さおよび水圧に対してもシャワーヘッドを固定させることにより、シャワーヘッドが水に浸かったときにも覆ることなく安定的に水を張ることができるという効果がある。
2016501569.tif 000002
【特許請求の範囲】
【請求項１】
シャワーヘッドの外径より大きい外径を有し、前記シャワーヘッドの形状に対応するベースと、
前記ベースの上端に一側開放のドーム状に設けられ、前記ドーム状の内部の空間に前記シャワーヘッドが挿入されて前記シャワーヘッドの離脱を防止する保護部とを含んでなり、
前記ベースの上端面には、前記シャワーヘッドから噴出される水を前記ベースの下端へ排出する少なくとも一つの第１通水孔が設けられることにより、前記保護部の内部で前記シャワーヘッドから噴出される水の圧力が減少するようにすることを特徴とする、シャワーヘッド用ホルダー。
【請求項２】
前記ベースの下端には、前記第１通水孔によって前記ベースの下端へ排出される水の排出を円滑にする複数の突出部がさらに設けられることを特徴とする、請求項１に記載のシャワーヘッド用ホルダー。
【請求項３】
前記保護具は、前記シャワーヘッドから噴出される水を前記保護具の外部へ排出することを容易にするために、金網または少なくとも１つの第２通水孔からなることを特徴とする、請求項１に記載のシャワーヘッド用ホルダー。
【請求項４】
前記保護具は、前記シャワーヘッドの挿脱を容易にするために、前記保護具の切断面が閉端面に行くほど傾斜面を持つように形成されることを特徴とする、請求項１に記載のシャワーヘッド用ホルダー。
【請求項５】
前記ベースの下端には、床面または貯水槽の下端面への固定を容易にするために固定部がさらに設けられることを特徴とする、請求項１に記載のシャワーヘッド用ホルダー。
【請求項６】
シャワーヘッドの形状に対応する装着溝を有し、前記シャーヘッドが装着される据置部と、
前記装着溝に装着されるシャワーヘッドから噴射される水が排水されるように前記据置部に設けられる第１排水部と、
前記第１排水部から水が排水される空間を形成するために前記据置部の下端の一側に設けられ、フック機能を兼ねる支持部と、
前記シャワーヘッドが挿入されるように挿入口を有し、水圧による前記シャワーヘッドの離脱および水飛びを防止するために前記据置部の一部を覆うように前記据置部の上端に設けられる蓋部とを含んでなることを特徴とする、シャワーヘッド用ホルダー。
【請求項７】
シャワーヘッドの形状に対応する装着溝を有し、前記シャワーヘッドが装着される据置部と、
前記装着溝に装着されるシャワーヘッドから噴射される水が排水されるように前記据置部に設けられる第１排水部と、
前記第１排水部から水が排水される空間を形成するために前記据置部の下端の一側に設けられ、フック機能を兼ねる支持部と、
前記シャワーヘッドが挿入されるように挿入口を有し、水圧による前記シャワーヘッドの離脱および水飛びを防止するために前記据置部の一部を覆うように前記据置部の上端に設けられる蓋部と、
前記据置部に設けられ、水の温度に応じて色が変わる温度確認部とを含んでなることを特徴とする、シャワーヘッド用ホルダー。
【請求項８】
前記据置部の下端縁には一定の間隔で前記支持部と同一の高さをもって多数の支持突起がさらに設けられることを特徴とする、請求項６または７に記載のシャワーヘッド用ホルダー。
【請求項９】
前記据置部は、前記挿入口側に傾斜面が設けられることを特徴とする、請求項６または７に記載のシャワーヘッド用ホルダー。
【請求項１０】
前記第１排水部は、
前記据置部の装着溝の中央部分に設けられる第１ホールと、
前記第１ホールの周りに多数設けられる第２ホールとから構成されることを特徴とする、請求項６または７に記載のシャワーヘッド用ホルダー。
【請求項１１】
前記据置部の底面には折り目線が形成されることを特徴とする、請求項６に記載のシャワーヘッド用ホルダー。
【請求項１２】
前記折り目線は、前記シャワーヘッドが装着される方向に、前記据置部に２つ以上が形成されることを特徴とする、請求項１１に記載のシャワーヘッド用ホルダー。
【請求項１３】
前記蓋部の前面は、前記据置部に対して垂直をなして一定の高さに保護面が形成されることを特徴とする、請求項６または７に記載のシャワーヘッド用ホルダー。
【請求項１４】
前記挿入口を有する前記蓋部の上端縁に沿って遮蔽膜が形成されることを特徴とする、請求項６または７に記載のシャワーヘッド用ホルダー。
【請求項１５】
前記蓋部の下部には第２排水ホールが設けられることを特徴とする、請求項６または７に記載のシャワーヘッド用ホルダー。
【請求項１６】
前記第２排水ホールは前記蓋部の下部中央および側面にそれぞれ１つずつ設けられることを特徴とする、請求項１５に記載のシャワーヘッド用ホルダー。
【請求項１７】
前記蓋部の表面の一側にイメージ挿入部が設けられることを特徴とする、請求項６または７に記載のシャワーヘッド用ホルダー。
【請求項１８】
前記据置部、前記蓋部および前記支持部は、シリコン、プラスチックおよびＦＲＰのいずれか一つまたは二つ以上の組み合わせから形成されることを特徴とする、請求項６または７に記載のシャワーヘッド用ホルダー。
【請求項１９】
前記温度確認部は、前記据置部の表面に可逆性示温インクが塗布されて形成されることを特徴とする、請求項７に記載のシャワーヘッド用ホルダー。
【請求項２０】
前記温度確認部は、前記据置部が金型で射出成形されるとき、前記可逆性示温インクが混合されて形成されることを特徴とする、請求項７に記載のシャワーヘッド用ホルダー。
【発明の詳細な説明】
【技術分野】
【０００１】
本発明は、シャワーヘッド用ホルダーに係り、さらに詳しくは、床面、または水が貯水できる貯水槽の下端面に位置させ、保護具の内側に挿入されるシャワーヘッドから吐き出される流圧によって前記シャワーヘッドが遊動することを防止するシャワーヘッド用ホルダーに関する。
【０００２】
また、本発明は、水が噴射されているシャワーヘッドを、使用途中で床に下ろしておくとき、或いは浴槽やタライなどの容器内に置いて水を張るときに、シャワー器の水圧によりシャワーヘッドが遊動しないよう、シャワーヘッドを固定させて据え置くことができ、据え置かれたシャワーヘッドから噴射されている水の温度を色の変化から知ることができるシャワーヘッド用ホルダーに関する。
【背景技術】
【０００３】
一般に、シャワー器を用いてシャワーをするとき或いは浴槽やタライ等の容器に水を張るときに、水を流したり止めたりする作動を繰り返し行うと、水圧によりシャワーヘッドが不規則的に遊動して、予想できないところに水が飛んでしまう不便さを経験することがある。
【０００４】
また、乳幼児、高齢者、および身体の不自由な人を沐浴させるときに、水を流したままシャワー器を使用しながらしばらくシャワーヘッドを浴室の床または浴槽に下ろしておくが、水圧によって据置が容易ではないという問題点がある。
【０００５】
そして、シャワーヘッダ用ホルダーが一般に壁の高いところに設置されており、服を着たままシャワー器を使用する場合、その高いところから床面に噴射される水の飛び上がりにより服が濡れてしまうという問題点がある。
【０００６】
また、保護者の手助けが必要な子供の場合は、壁面に設置されるシャワーヘッド用ホルダーより低い位置で洗うので、保護者の服が濡れてしまって困るうえ、壁面に設置されたシャワーヘッド用ホルダーにシャワーヘッドを据え置くために立ったり座ったりの動作を繰り返さなければならないなどの問題点がある。
【０００７】
さらに、寒い天気にお湯を使うとき、シャワー器をオン／オフにすると、使用の際に適正の温度を合わせるためにシャワー器の温度調節バーを調整するので、使用に適した温度となるまではシャワー器がすぐ使用できないという問題点がある。
【０００８】
これに関連し、シャワーヘッダ用ホルダーを備えたタライに関する技術は、特許文献１に開示されているが、タライの上部縁の一側にシャワーヘッドを据え置くホルダーが設けられる構成を有し、シャワーヘッド用ホルダーが設けられたタライ以外には、シャワーヘッド用ホルダーを固定することができないという問題点がある。また、保護者が子供を胸に抱きかかえてシャワー器を使用するとき、タライに設けられるホルダーにシャワーヘッドを固定するためには一定の圧力でシャワーヘッドを押圧しなければならないので、使用者が片手でシャワーヘッドをホルダーに固定するときにタライが一方向に押し付けられる現象が発生するという問題点がある。
【０００９】
一方、水を張るとき、一般に使用される壁に固定設置されるシャワーヘッド用ホルダーにシャワーヘッドを据え置いた場合、水の噴射方向が固定されるため、水の噴射方向でのみシャワー器を使用することができるという不便さがある。
【００１０】
上述したような問題点を解決するために、特許文献２に開示されている「シャワーホルダー」は、上下方向および左右方向への角度を調節することができるように構成されることにより、使用者の条件に応じてシャワーヘッドからの水の噴出角度を容易に調節することができるという効果がある。
【００１１】
また、シャワーヘッドを固定させるので、水圧によってシャワーヘッドが不規則的に遊動することを防止する。
【００１２】
ところが、従来のシャワーホルダーは、平らな面がある場所にのみ設置することができ、シャワーホルダーを設置した位置にのみシャワーヘッドを据え置くことができるため、別の場所にシャワーヘッドを据え置きたい場合にはシャワーホルダーを元の位置から取り外してさらに取り付けなければならないという煩わしさがある。
【００１３】
また、従来のシャワーホルダーは、壁面に水分または異物が存在する場合、接着部の接着力が弱くてすぐ取れてしまい、シャワーヘッドの重さに耐えられず長時間が経つと落ちてしまうという問題点がある。
【００１４】
その上、シャワーヘッダから噴射されている水の温度を知るために、或いは使用に適した適正の温度を合わせるために、手に直接水を付けなければならないという煩わしさもある。
【先行技術文献】
【特許文献】
【００１５】
【特許文献１】韓国実用新案登録公報第２０−０４２６０４２号
【特許文献２】韓国実用新案公開公報第２０１２−０００６９９１号
【発明の概要】
【発明が解決しようとする課題】
【００１６】
本発明は、上述した問題点を解決するためになされたもので、その目的は、床面または貯水槽の下端面に位置し、水圧によるシャワーヘッドの遊動を防止するシャワーヘッド用ホルダーを提供することにある。
【００１７】
本発明の他の目的は、ベースおよび保護具に通水孔を設け、シャワーヘッドから噴射される水をベースおよび保護具の外部へ円滑に排出することで、シャワーヘッドが前記保護具に対して遊動または離脱することを防止するシャワーヘッド用ホルダーを提供することにある。
【００１８】
本発明の別の目的は、水が噴射されているシャワーヘッドを、使用途中で床におろしておくとき、或いは浴槽やタライなどの容器内に置いて水を張るときに、シャワー器の水圧によりシャワーヘッドが遊動しないよう、シャワーヘッドを固定させて据え置くことができ、据え置かれたシャワーヘッドから噴射されている水の温度を色の変化から知ることができるシャワーヘッド用ホルダーを提供することにある。
【課題を解決するための手段】
【００１９】
上記の目的を達成するために、本発明に係るシャワーヘッド用ホルダーは、シャワーヘッドの外径より大きい外径を有し、前記シャワーヘッドの形状に対応するベースと、前記ベースの上端に一側開放のドーム状に設けられ、前記ドーム状の内部の空間に前記シャワーヘッドが挿入されて前記シャワーヘッドの離脱を防止する保護部とを含んでなり、 前記ベースの上端面には、前記シャワーヘッドから噴出される水を前記ベースの下端へ排出する少なくとも一つの第１通水孔が設けられることにより、前記保護部の内部で前記シャワーヘッドから噴出される水の圧力が減少するようにすることを特徴とする。
【００２０】
前記ベースの下端には、前記第１通水孔によって前記ベースの下端へ排出される水の排出を円滑にする複数の突出部がさらに設けられることを特徴とする。
【００２１】
前記保護具は、前記シャワーヘッドから噴出される水を前記保護具の外部へ排出することを容易にするために、金網または少なくとも１つの第２通水孔からなることを特徴とする。
【００２２】
前記保護具は、前記シャワーヘッドの挿脱を容易にするために、前記保護具の切断面が閉端面に行くほど傾斜面を持つように形成されることを特徴とする。
【００２３】
前記ベースの下端には、床面または貯水槽の下端面への固定を容易にするために固定部がさらに設けられることを特徴とする。
【００２４】
また、上記の目的を達成するために、本発明は、シャワーヘッドの形状に対応する装着溝を有し、前記シャーヘッドが装着される据置部と、前記装着溝に装着されるシャワーヘッドから噴射される水が排水されるように前記据置部に設けられる第１排水部と、前記第１排水部から水が排水される空間を形成するために据置部の下端一側に設けられる支持部と、前記シャワーヘッドが挿入されるように挿入口を有し、水圧による前記シャワーヘッドの離脱および水飛びを防止するために前記据置部の一部を覆うように前記据置部の上端に設けられる蓋部とを含んでなることができる。
【００２５】
また、上記の目的を達成するために、本発明は、シャワーヘッドの形状に対応する装着溝を有し、前記シャワーヘッドが装着される据置部と、前記装着溝に装着されるシャワーヘッドから噴射される水が排水されるように前記据置部に設けられる第１排水部と、前記第１排水部から水が排水される空間を形成するために前記据置部の下端一側に設けられる支持部と、前記シャワーヘッドが挿入されるように挿入口を有し、水圧による前記シャワーヘッドの離脱および水飛びを防止するために前記据置部の一部を覆うように前記据置部の上端に設けられる蓋部と、前記据置部に設けられ、水の温度に応じて色が変わる温度確認部とを含むことができる。
【００２６】
本発明において、前記据置部の下端縁には一定の間隔で前記支持部と同一の高さをもって多数の支持突起がさらに設けられてもよい。
【００２７】
前記据置部は、前記挿入口側に傾斜面が設けられてもよい。
【００２８】
前記第１排水部は、前記据置部の装着溝の中央部分に設けられる第１ホールと、前記第１ホールの周りに多数設けられる第２ホールとから構成されてもよい。
【００２９】
前記据置部の底面には折り目線が形成されてもよい。
【００３０】
前記折り目線は、前記シャワーヘッドが装着される方向に、前記据置部に２つ以上が形成されてもよい。
【００３１】
本発明において、前記蓋部の前面は、前記据置部に対して垂直をなして一定の高さに保護面が形成されてもよい。
【００３２】
前記挿入口を有する前記蓋部の上端縁に沿って遮蔽膜が形成されてもよい。
【００３３】
前記蓋部の下部には第２排水ホールが設けられてもよい。
【００３４】
前記第２排水ホールは前記蓋部の下部中央および側面にそれぞれ１つずつ設けられてもよい。
【００３５】
前記蓋部の表面の一側にイメージ挿入部が設けられてもよい。
【００３６】
前記据置部、前記蓋部および前記支持部は、シリコン、プラスチックおよびＦＲＰのいずれか一つまたは二つ以上の組み合わせから形成されてもよい。
【００３７】
前記温度確認部は、前記据置部の表面に可逆性示温インクが塗布されて形成されてもよい。
【００３８】
前記温度確認部は、前記据置部が金型で射出成形されるとき、前記可逆性示温インクが混合されて形成されてもよい。
【発明の効果】
【００３９】
上述した本発明のシャワーヘッド用ホルダーは、床面または貯水槽の下端面に位置し、水圧によるシャワーヘッドの遊動を防止するという効果がある。
【００４０】
また、本発明によれば、ベースおよび保護具に通水孔を設け、シャワーヘッドから噴射される水をベースおよび保護具の外部へ円滑に排出することにより、シャワーヘッドが前記保護具に対して遊動または離脱することを防止するという効果がある。
【００４１】
また、本発明によれば、シャワー器の使用途中で使用者の所望する位置にシャワーヘッド用ホルダーを置き、場所を問わずにシャワーヘッドを据置させることができるという効果がある。
【００４２】
また、本発明によれば、乳幼児、高齢者、および身体の不自由な人を沐浴させるか或いはバス掃除や洗濯などを行いながら、シャワーを止めることが困るときに、シャワーヘッドが覆ることなくシャワーヘッドを容易に据置させることができるという効果がある。
【００４３】
また、本発明によれば、寒い天気にお湯を使ってから止水すると、さらに使用に適した適正の温度に合わせなければならない不便さを防止するという効果がある。
【００４４】
また、本発明によれば、様々な形態のシャワー器、重さおよび水圧に対してもシャワーヘッドを固定させることで、シャワー器が水に浸かったときにも覆ることなく安定的に水を張ることができるという効果がある。
【００４５】
また、本発明によれば、シャワーヘッド用ホルダーにシャワーヘッドを据え置いた状態で、シャワーヘッドから噴射される水の温度に応じて変わる色から水の温度を知ることができるため、シャワー器の使用に便利であるという効果がある。
【図面の簡単な説明】
【００４６】
【図１】本発明の第１実施例に係るシャワーヘッド用ホルダーを示す斜視図である。
【図２】図１におけるシャワーヘッド用ホルダーの平面図である。
【図３】図１におけるシャワーヘッド用ホルダーの側面図である。
【図４】本発明の第１実施例に係るシャワーヘッド用ホルダーの保護具を示す側面図である。
【図５】本発明の第１実施例に係るシャワーヘッド用ホルダーの固定部を示す側面図である。
【図６】本発明の第２実施例に係るシャワーヘッド用ホルダーを示す斜視図である。
【図７】本発明の第２実施例を示す断面図である。
【図８】本発明の第２実施例の据置部を示す平面図である。
【図９】本発明の第２実施例の据置部を示す底面図である。
【図１０】本発明の第３実施例を示す断面図である。
【図１１】本発明の第３実施例の据置部を示す底面図である。
【図１２】本発明の第４実施例に係るシャワーヘッド用ホルダーを示す斜視図である。
【図１３】本発明の第４実施例を示す断面図である。
【図１４】本発明の第４実施例の据置部を示す平面図である。
【図１５】本発明の第４実施例の据置部を示す底面図である。
【図１６】本発明の第５実施例を示す断面図である。
【図１７】本発明の第５実施例の据置部を示す底面図である。
【発明を実施するための形態】
【００４７】
上述した本発明についての解決しようとする課題、課題の解決手段、および発明の効果を含む具体的な事項は、下記の一実施例および図面に含まれている。本発明の利点、特徴、およびそれらの達成方法は、添付図面と共に詳細に後述する一実施例を参照すると明確になるであろう。
【００４８】
以下に添付図面を参照しながら、本発明のシャワーヘッド用ホルダーを詳細に説明する。
【００４９】
<第１実施例>
図１は本発明の第１実施例に係るシャワーヘッド用ホルダーを示す斜視図であり、図２は図１におけるシャワーヘッダ用ホルダーの平面図であり、図３は図１におけるシャワーヘッド用ホルダーの側面図である。
【００５０】
本発明のシャワーヘッド用ホルダーは、シャワーヘッド１０の外径より大きい外径を有し、前記シャワーヘッド１０の形状に対応するベース２０と、前記ベース２０の上端に一側開放のドーム状に設けられる保護部１と、前記ベース２０の上端面に設けられ、前記シャワーヘッド１０から噴出される水を前記ベース２０の下端へ排出する第１通水孔２２とを含んでなる。
【００５１】
まず、本発明のシャワーヘッド用ホルダーにはベース２０が設けられる。前記ベース２０は、シャワーヘッド１０の外径より大きい外径を有し、前記シャワーヘッド１０の形状に対応する形状をする。すなわち、前記ベース２０は、前記シャワーヘッド１０を収容することができるように前記シャワーヘッド１０の外径より大きく設けられ、前記シャワーヘッド１０が装着できるようにする役割を果たす。これは、前記ベース２０が前記シャワーヘッド１０を収容し且つ前記ベース２０が前記シャワーヘッド１０の外径より大きい面積で床面に接触して、前記シャワーヘッド１０からの水の水圧により前記ベース２０が覆ることがないようにするためである。
【００５２】
また、前記ベース２０は、一定の厚さおよび一定の重さを持つように形成し、前記シャワーヘッド１０からの水の水圧により容易に覆ることをより効果的に防止することができる。
【００５３】
前記ベース２０の上端には保護部１が設けられる。前記保護部１は、前記ベース２０の上端に一側開放のドーム状に設けられる。すなわち、前記保護部１は、前記ベース２０の上端に、前記ベース２０の中心に行くほど前記ベース２０の上端面と前記保護部１の下端面との間隔が益々離隔するドーム状に設けられ、内部には前記シャワーヘッド１０が装着できる空間を形成するようになる。前記ドーム状の保護部１は、前記シャワーヘッド１０が前記保護具３０の内部空間に収容することができるようにし、前記シャワーヘッド１０が前記保護具３０の内部に装着された状態で前記シャワーヘッド１０から水が噴出されるとき、水圧による前記シャワーヘッド１０の遊動を防止すると同時に前記ベース２０の上端からの前記シャワーヘッド１０の離脱を防止する役割を果たす。
【００５４】
前記ベース２０の上端面には第１通水孔２２が設けられる。前記第１通水孔２２は、前記シャワーヘッド１０から噴出される水を前記ベース２０の下端へ排出するように前記ベース２０の上端面に少なくとも一つが設けられる。すなわち、前記第１通水孔２２は、前記ベース２０を貫いて設けられ、前記保護具３０の内部に装着される前記シャワーヘッド１０から噴射される水を前記ベース２０の下端へ排出する役割を果たす。これは、前記第１通水孔によって前記ベース２０の下端へ水を排出することにより、前記ベース２０および保護具３０に作用する水圧を減少させるためである。
【００５５】
前記ベース２０の下端には突出部２４が設けられる。前記突出部２４は、前記ベース２０の下端に突設され、前記第１通水孔２２を介して排出される水が抜け出る空間を確保する役割を果たす。すなわち、突出部２４は、前記ベース２０の下端に複数突設され、前記第１通水孔２２を介して排出される水が前記ベース２０の下端から外側へ円滑に排出できるようにする役割を果たす。
【００５６】
前記保護具３０は金網(wire mesh)３２から構成できる。すなわち、前記保護具３０は、前記金網３２からなり、前記保護具３０の内側に装着される前記シャワーヘッド１０から噴出される水を前記保護具３０の外側へ噴出することで、前記保護具３０の内側に発生する水圧を減少させる役割を果たす。
【００５７】
また、前記保護具３０には前記第２通水孔３４が設けられてもよい。前記第２通水孔は、前記保護具３０の内側から外側へ貫くように少なくとも１つ設けられ、前記保護具３０の内側の水を外側へ排出する役割を果たす。すなわち、前記金網３２と同様に、前記保護具３０の内側に装着する前記シャワーヘッド１０から噴出される水を前記保護具３０の外側へ噴出することで、前記保護具３０の内側に発生する水圧を減少させる役割を果たす。
【００５８】
前記保護具３０の切断面は、前記保護具３０の閉端面に行くほど傾斜面を持つように形成される。すなわち、前記保護具３０の切断面は、前記シャワーヘッド１０の挿脱を容易にするために、上部に行くほど前記保護具３０の閉端面の方向に傾くように形成される。これは、前記シャワーヘッド１０を使用者によって前記保護具３０の内側に挿入するとき、前記シャワーヘッド１０の挿入を容易にするためである。
【００５９】
前記ベース２０の下端には固定部４０が設けられる。前記固定部４０は、前記ベース２０の下端または前記突出部２４の下端に少なくとも一つ設けられ、床面または貯水槽の下端面に本発明のシャワーヘッド用ホルダーを固定する役割を果たす。すなわち、前記固定部４０は、前記ベース２０の下端または前記突出部２４の下端に設けられ、床面または貯水槽の下端面に本発明のシャワーヘッド用ホルダーを固定することで、水圧により覆ったり変位したりしないようにする。これは、前記固定部４０をコーティング面に空気圧縮方式で固定することが可能な方式で設けることにより、タイルやタライの内側面などに固定することができるようにする。
【００６０】
また、前記ベース２０の下端には位置調節部（図示せず）が設けられる。
【００６１】
前記位置調節部は、前記シャワーヘッド１０が前記保護具３０の内部に挿入されたとき、前記シャワーヘッド１０の屈曲形状を前記ベース２０および保護具３０が収容し得るようにする役割を果たす。すなわち、前記位置調節部は、前記ベース２０が設置される底面を基準に、前記ベース２０を前記保護具３０の閉端面から開口部の方向へ上方傾斜するようにする役割を果たす。これは、屈曲形成される前記シャワーヘッド１０の水噴射面が前記ベース２０の下端に密着するようにする傾斜面を形成して、前記ベース２０の外部へ水を円滑に排出することができるようにする役割、および前記シャワーヘッド１０の形状を収容して前記シャワーヘッド１０の水噴射面が前記ベース２０の上端面に装着されるようにする役割を果たす。
【００６２】
また、前記位置調節部は、シャワー器の種類に応じてベース２０の下端に着脱可能に設けられる。
<第２および第３実施例>
図６は本発明の第２実施例に係るシャワーヘッド用ホルダーを示す斜視図であり、図７は本発明の第２実施例を示す断面図であり、図８は本発明の第２実施例の据置部を示す平面図であり、図９は本発明の第２実施例の据置部を示す底面図である。
【００６３】
本発明の実施例に係るシャワーヘッド用ホルダーは、据置部１００、第１排水部１２０、支持部１３０および蓋部２００を含んで構成される。
【００６４】
シャワーヘッドが前記据置部１００に装着されるが、図６に示すように、前記据置部１００には、前記シャワーヘッドの形状に対応する装着溝１１０が設けられている。前記装着溝１１０が設けられているから、前記シャワーヘッドが前記据置部１００の縁部に斜めに置かれず、前記シャワーヘッドが中央の正位置に据え置かれる。
【００６５】
また、装着溝１１０は、前記シャワーヘッドの外形より大きく設けられているので、如何なるサイズのシャワーヘッドも収容することができる。
【００６６】
図３に示すように、前記据置部１００には、前記装着溝１１０に装着されるシャワーヘッドから噴射される水が排出されるように第１排水部１２０が設けられる。
【００６７】
しかも、前記第１排水部１２０は、前記据置部１００の装着溝１１０の中央部分に設けられる第１ホール１２２と、前記第１ホール１２２の周りに設けられる第２ホール１２４とから構成される。
【００６８】
前記第１ホール１２２は、前記シャワーヘッドから噴射される最も水圧の高い水が排水されるように前記据置部１００の中央部分に一つが設けられるが、前記第１ホール１２２は、前記シャワーヘッドが抜けないように前記シャワーヘッドの外径より小さく設けられる。
【００６９】
また、前記ホール１２２の周りには、前記第１ホール１２２の内径より小さい前記第２ホール１２４が一定の間隔で設けられる。
【００７０】
前記第２ホール１２４の内径があまり小さい場合は、排水が円滑ではなく、前記第２ホール１２４の内径があまり大きい場合は、前記第２ホール１２４間の間隔が狭くなって前記据置部１００の支持力が弱くなり或いは耐久性が低下するおそれがある。よって、前記第１ホール１２２の内径のサイズを考慮して前記第２ホール１２４の個数および内径の大きさが決定されることが好ましい。
【００７１】
本発明の実施例において、前記第１ホール１２２は、１つが設けられるが、排水が円滑に行われる構造であれば、前記シャワーヘッドの装着位置に多数のホールが設けられても構わない。
【００７２】
図７に示すように、前記第１排水部１２０から水が排水される空間を形成するために、前記据置部１００が傾くように前記据置部１００の下端の一側に支持部１３０が設けられる。
【００７３】
前記支持部１３０によりシャワーヘッド用ホルダーを床に置くことができ、前記支持部１３０は、図７に示すように、略「コ」字状をしてフックの役割を果たすことができる。例えば、洗面タライやベビーバスタブなどの縁部に前記支持部１３０を掛止して使用することができ、前記支持部１３０を掛けることによりシャワーヘッド用ホルダーの安定した据置が可能である。また、タオルハンガーに掛けることが可能なので、収納用の用途としても使用できる。
【００７４】
また、図１０に示すように、前記据置部１００の下端縁には一定の間隔で前記支持部１３０と同一の高さに多数の支持突起１４０が設けられる。これらの支持突起は、前記第１排水部１２０から水が排水されるように空間を形成するようにすることができる。
【００７５】
本発明の第３実施例では、支持突起１４０は、前記据置部１００がバランスよく床面に位置できるように一定の間隔で５つ設けられているが、前記据置部１００が覆ることなくバランスを取る構造であればいずれの形態またはサイズに形成されてもよい。
【００７６】
前記据置部１００には、前記シャワーヘッドの挿脱を容易にするために前記据置部１００の挿入口２１０側に傾斜面１６０が形成される。
【００７７】
前記傾斜面１６０により、使用者はより便利かつ容易に前記シャワーヘッドを前記挿入口２１０に入れて前記据置部１００に装着させることができる。
【００７８】
図９および図１１に示すように、前記据置部１００には、前記据置部１００の一部の面が異なる高低に変形するように折り目線１５０が形成される。
【００７９】
前記折り目線１５０によって、前記据置部１００が例えば浴槽の縁や曲がった洗面台などの平らでない面にも置かれることが可能なので、使用者は場所および位置を問わずに本発明のシャワーヘッド用ホルダーを使用することができる。
【００８０】
本発明の実施例では、前記折り目線１５０は、前記シャワーヘッド装着方向に前記据置部１００に２つが形成されるが、前記据置部１００の大きさや材料の柔軟性に応じて２つ以上が形成される。
【００８１】
前記シャワーヘッドを挿入するために挿入口２１０が設けられ、前記据置部１００の一部を覆うように前記蓋部２００が前記据置部１００の上端にドーム状に設けられる。
【００８２】
このように設けられた前記蓋部２００は、前記シャワーヘッドから水が噴射されるとき、水圧による前記シャワーヘッドの遊動を防止すると同時に前記据置部１００からの前記シャワーヘッドの離脱を防止し、使用者に水が飛ばないようにする。
【００８３】
また、前記蓋部２００の前面は、前記シャワーヘッドが挿入されるときに前記蓋部２００の内側に前記シャワーヘッドがかかることなく挿入されるように、前記据置部１００に対して垂直をなして一定の高さに保護面２３０が形成される。
【００８４】
ここで、前記保護面２３０の高さは前記蓋部２００の形態によって異なる。
【００８５】
言い換えれば、ドーム状の前記蓋部２００の曲率が大きい場合、前記保護面２３０の高さは相対的に低く、前記蓋部２００の曲率が小さい場合、前記保護面２３０の高さは相対的に高く形成されることが好ましい。
【００８６】
しかし、前記シャワーヘッドが前記蓋部２００にかかることなく挿入されるのに支障を与えなければ、いずれの形態に形成されてもよい。
【００８７】
本発明において、前記挿入口２１０を有する前記蓋部２００の上端縁に沿って遮蔽膜２２０が設けられる。このように設けられた前記遮蔽膜２２０は、前記シャワーヘッドが水圧により前記挿入口２１０から離脱することを防止するとともに、使用者に水が飛ぶことを防止する。
【００８８】
しかも、前記蓋部２００の下部には多数の第２排水ホールが設けられるが、本発明の実施例では、前記第２排水ホールが前記蓋部２００の下部中央に１つ、側面にそれぞれ１つずつ設けられる。
【００８９】
前記据置部１００、蓋部２００および支持部１３０は、シリコン、プラスチックおよびＦＲＰの少なくとも一つの材質からなり、一定の厚さおよび重量を持つように形成されるが、これは、前記シャワーヘッドが水圧により覆ることを防止し、貯蔵容器に水を張るときにも水中で前記シャワーヘッドが遊動しないようにする。
【００９０】
また、使用者の嗜好や好みに合わせて写真などのイメージを挿入することが可能なイメージ挿入部２５０が前記蓋部２００の表面の一側に設けられる。
<第４および第５実施例>
図１２は本発明の第４実施例に係るシャワーヘッド用ホルダーを示す斜視図であり、図１３は本発明の第４実施例を示す断面図であり、図１４は本発明の第４実施例の据置部を示す平面図であり、図１５は本発明の第４実施例の据置部を示す底面図である。
【００９１】
本発明の第４実施例に係るシャワーヘッド用ホルダーは、据置部１００、第１排水部１２０、支持部１３０、蓋部２００、および温度確認部２６０を含んで構成されるもので、以下では上述した第２実施例と重複する説明は省略する。
【００９２】
本発明の第４実施例は、前記シャワーヘッド用ホルダーに据え置かれている前記シャワーヘッドから噴射される水の温度を予め認知して使用することができるように、水の温度に応じて変色する温度確認部２６０が前記据置部１００に形成される。
【００９３】
本発明の実施例において、前記温度確認部２６０は、前記据置部１００の上端面に可逆性示温インクが塗布されて形成される。
【００９４】
また、前記据置部１００、蓋部２００および支持部１３０がシリコン、プラスチック、ＦＲＰなどの材質から金属で射出成形されるとき、シリコン、プラスチック、ＦＲＰなどの材質に前記可逆性示温インクが混合されて前記温度確認部２６０が形成される。
【００９５】
前記温度確認部２６０は、−１５℃〜７０℃の範囲内で基準温度を定め、基準温度以下ではインクの色を持っているが、基準温度になると透明になり、基準温度以下では透明な状態であるが、基準温度になると発色する方式を取っている。
【００９６】
以上、本発明の好適な実施例について図示および説明したが、本発明は上述した特定の好適な実施例に限定されるものではない。当該発明の属する技術分野における通常の知識を有する者であれば、請求の範囲で請求する本発明の要旨から逸脱することなく、様々な変形を加え得ることはもちろんであり、それらの変形も請求の範囲の記載に基づいて定められる範囲内にある。
【産業上の利用可能性】
【００９７】
本発明のシャワーヘッド用ホルダーは、シャワーヘッドを場所を問わずに据置させることができるので日常生活で便利さを提供することができ、簡単な構成によって製造が容易なので産業上の利用可能性が非常に高い発明であるといえる。
【図１】
2016501569.tif 000003
【図２】
2016501569.tif 000004
【図３】
2016501569.tif 000005
【図４（ａ）】
2016501569.tif 000006
【図４（ｂ）】
2016501569.tif 000007
【図５】
2016501569.tif 000008
【図６】
2016501569.tif 000009
【図７】
2016501569.tif 000010
【図８】
2016501569.tif 000011
【図９】
2016501569.tif 000012
【図１０】
2016501569.tif 000013
【図１１】
2016501569.tif 000014
【図１２】
2016501569.tif 000015
【図１３】
2016501569.tif 000016
【図１４】
2016501569.tif 000017
【図１５】
2016501569.tif 000018
【図１６】
2016501569.tif 000019
【図１７】
2016501569.tif 000020
【国際調査報告】
2016501569.tif 000021
2016501569.tif 000022
2016501569.tif 000023
2016501569.tif 000024